(57)【要約】      （修正有）【課題】マルチチャネルで記録された音声信号をカラオケ用に処理する。【解決手段】マルチチャネルで高品質に記録されたＤＶＤオーディオデイスクの再生音声データを処理して、カラオケを楽しめるようにする。ディスク再生部でＤＶＤオーディオデイスクから再生されたオーディオデータはオーディオ再生部でデコード後、デスクランブラーによりスクランブルが解除されて、ＤＶＤオーディオデフォーマット化処理部により、前方左、中央、前方右、後方左、後方右の音声データに分離される。これら音声データがミキサーに入力される。ユーザが、ミクス指示を行うと、前方左の、前方右の音声データとＡ／Ｄ変換部より入力される歌い手の音声データがミキシング回路により混合されて２チャネルの音声データとなり、出力端子３３、３４から出力される。これにより、前記前方左と前方右の音声データを伴奏として、カラオケを行うことができる。【選択図】図４
2005234565.tif 000002
【特許請求の範囲】
【請求項１】
マルチチャネルのオーディオデータを含と共に、
前記マルチチャネルのオーディオデータをミクスダウンするためのミクスダウン係数と前記ミクスダウン係数のテーブル番号とを制御データとして含むオーディオタイトルセットにフォーマット化する場合にあらかじめ複数の態様に相当するミクスダウン係数を備えるようにフォーマット化してエンコードするデータエンコード方法。
【請求項２】
請求項１記載のデータエンコード方法により記録されたデータを再生するデータ再生装置において、
前記記録されたデータからオーディオデータをデコードする第１のデコード手段と、
前記デコードされたオーディオデータをマルチチャネルのオーディオデータに分離する手段と、
前記記録されたデータからミクスダウン係数と前記ミクスダウン係数のテーブル番号をデコードする第２のデコード手段と、
前記分離されたオーディオデータを前記デコードされたミクスダウン係数と前記ミクスダウン係数のテーブル番号によってミクスダウンするミクスダウン手段と、
前記ミクスダウンされたオーディオデータを出力する出力手段と、
を備えたことを特徴とするデータ再生装置。
【請求項３】
請求項２記載のデータ記録方法により記録されたデータを再生するデータ再生装置において、さらに、
マイクロフォンで集音された音声信号を前記分離されたオーディオデータとミキシングする手段を備えたデータ再生装置。
【発明の詳細な説明】
【技術分野】
【０００１】
本発明は、マルチチャネルの音声データをＤＶＤオーディオディスクに記録するディスクエンコード装置及びＤＶＤディスクからマルチチャネルの音声データを再生するカラオケに好適なデータエンコード方法及びデータ再生装置に関する。
【背景技術】
【０００２】
従来より、ＣＤなどでは、音楽ソースが２チャネルオーディオデータとして記録されるが、マルチチャネルとして楽しむことが考えられる。しかし、２チャネルに比べてマルチチャネルではデータ量が膨大になり、記憶容量が同一では演奏時間が減少する。
【０００３】
そこで、ＤＶＤビデオが考えられ、このＤＶＤビデオでは圧縮したサラウンド信号やカラオケ信号が記録され（特開平９−４６７９９）、カラオケ等にも対応できるようになっている。
【０００４】
この従来のカラオケ対応装置（特開平９−４６７９９）のカラオケモードでは、カラオケの左（Ｌ）、右（Ｒ）の伴奏、女声ボーカルＡ２−１、男声ボーカルＡ２−２がドルビ−ＡＣ−３の規格に沿ったオーディオストリームに記録され、再生時にダウンミクスされて２チャネルで出力されることにより、カラオケとしての機能が実現されている。
【発明の開示】
【発明が解決しようとする課題】
【０００５】
しかし、上記した従来の装置では圧縮したサラウンド方式を流用するのでデータ量は節約されるが、圧縮による品質のロス及びサンプリング周波数、ビット数などの制限を受ける欠点があった。
【０００６】
これを回避するために、ＤＶＤビデオを尊重すると共にそれとの互換性を求めるＤＶＤオーディオデイスクに、圧縮による品質のロスがなく、サンプリング周波数１９２ｋＨｚ、ビット数が２４ビットの高品位としたマルチチャネル音声データを収納する期待が高まっている。
【０００７】
その上、マルチチャネルで記録されたＤＶＤオーディオデイスクを再生し、カラオケとして使用できるように、各チャネルの音声信号を処理することが要請されている。更に、ＤＶＤデイスクに前記マルチチャネルの音声信号を記録すると共に、静止画または動画を記録し、カラオケ時、静止画または動画を再生して背景等に用いることにより、カラオケ時の雰囲気を盛り上げる要請がなされている。
【０００８】
本発明は、上記のような従来の課題に答えるために、音声信号をマルチチャネルで高品質に記録するディスクエンコード装置と、マルチチャネルで高品質に記録されたＤＶＤオーディオデイスクの各チャネルからの再生音声信号をカラオケ用に処理することができ、必要に応じて、静止画または動画も再生することができるデータエンコード方法及びデータ再生装置を提供するにある。
【課題を解決するための手段】
【０００９】
本発明は、上記課題を解決するために以下の１）〜３）の手段よりなる。
すなわち、
１）マルチチャネルのオーディオデータを含と共に、
前記マルチチャネルのオーディオデータをミクスダウンするためのミクスダウン係数と前記ミクスダウン係数のテーブル番号とを制御データとして含むオーディオタイトルセットにフォーマット化する場合にあらかじめ複数の態様に相当するミクスダウン係数を備えるようにフォーマット化してエンコードするデータエンコード方法。
２）請求項１記載のデータエンコード方法により記録されたデータを再生するデータ再生装置において、
前記記録されたデータからオーディオデータをデコードする第１のデコード手段と、
前記デコードされたオーディオデータをマルチチャネルのオーディオデータに分離する手段と、
前記記録されたデータからミクスダウン係数と前記ミクスダウン係数のテーブル番号をデコードする第２のデコード手段と、
前記分離されたオーディオデータを前記デコードされたミクスダウン係数と前記ミクスダウン係数のテーブル番号によってミクスダウンするミクスダウン手段と、
前記ミクスダウンされたオーディオデータを出力する出力手段と、
を備えたことを特徴とするデータ再生装置。
３）請求項２記載のデータ記録方法により記録されたデータを再生するデータ再生装置において、さらに、
マイクロフォンで集音された音声信号を前記分離されたオーディオデータとミキシングする手段を備えたデータ再生装置。
【発明の効果】
【００１０】
本発明によれば、マルチチャネルで高品質に記録されたＤＶＤオーディオデイスクの各チャネルからの再生音声データをミクスダウン係数により処理することができ、必要に応じて、複数の態様により再生することができ使い勝手が向上する等の効果を奏する。
【発明を実施するための最良の形態】
【００１１】
以下、本発明の実施の形態を図面に基づいて説明する。図１は、本発明のディスクエンコード装置の第１の実施の形態を示したブロック図である。ディスクエンコード装置は、マルチチャンネルのオーディオ信号をＤＶＤオーディオフォーマットの規格に沿ってフォーマット化するＤＶＤオーディオフォーマット化処理部１、フォーマット化データにスクランブルをかけるスクランブラー２、スクランブラー２からの信号を変調する変調部３、装置全体の制御を行なうシステムコントローラ４、ユーザの指示を入力する操作入力部５、ＤＶＤオーディオフォーマット化処理部１によるフォーマット化の際に必要なミクス係数を入力するインターフェース（Ｉ／Ｆ）６、画像／文字データを入力するインターフェース（Ｉ／Ｆ）７、前方左の音声データ（ＦＬ）を入力する入力端子８、中央の音声データ（Ｃ）を入力する入力端子９、前方右の音声データ（ＦＲ）を入力する入力端子１０、後方左の音声データ又は左のボーカル（ＲＬ／ＫＬ）を入力する入力端子１１、後方右の音声データ又は右のボーカル（ＲＲ／ＫＲ）を入力する入力端子１２、カッティングマシンなどにデータを出力するための出力端子１３を有している。
【００１２】
次に、本実施形態の動作について説明する。入力端子８、９、１０、１１、１２から入力される５チャネルの前方左の音声データ（ＦＬ）、中央の音声データ（Ｃ）、前方右の音声データ（ＦＲ）、後方左又は左のボーカルの音声データ（ＲＬ／ＫＬ）、後方右又は右のボーカルの音声データ（ＲＲ／ＫＲ）はＤＶＤオーディオフォーマット化処理部１に入力され、ここで、インターフェース６から５チャネル音声データにフォーマット化され、スクランブラー２で、スクランブルが掛けられてから変調部３により変調された後、出力端子１３から図示されないカッティングマシンに出力されて、前記した５チャネル音声データを記録したＤＶＤオーディオディスクが作成される。
【００１３】
尚、左、右のボーカル（ＫＬ／ＫＲ）をミクスする場合、ＤＶＤオーディオフォーマット化処理部１はインターフェース８から入力されるミクス係数に従って、左右のボーカルをミクスしてフォーマット化する。
【００１４】
その際、記録内容のメニュー画像などを示す文字データやカラオケ用の背景画像もインターフェース７からＤＶＤオーディオフォーマット化処理部１に入力され、上記した音声データと共にフォーマット化される。
【００１５】
本実施の形態によれば、前方左、中央、前方右、後方左、後方右の５チャネルの音声データをＤＶＤオーディオディスクに記録して作成することができ、しかも、ＤＶＤオーディオディスク容量が大きいため、５チャネルの音声データを圧縮する必要がなく、且つ十分高いサンプリング周波数、ハイビットなどで、前記ディスクに記録することができ、高音質で前記５チャネルの音声データを長時間記録することができる。
【００１６】
図２は、本発明のディスクエンコード装置の第２の実施の形態を示したブロック図である。但し、図１に示した第１の実施の形態と同様の部分には同一符号を付し、且つその説明を適宜省略する。ディスクエンコード装置は、多チャンネルのオーディオ信号をＤＶＤオーディオフォーマットの規格に沿ってフォーマット化するＤＶＤオーディオフォーマット化処理部１、フォーマット化データにスクランブルをかけるスクランブラー２、スクランブラー２からの音声データを図示されない回線上に送信する送信部１４、図示されない回線上の音声データを受信する受信部１７、装置全体の制御を行なうシステムコントローラ４、ユーザの指示を入力する操作入力部５、音声データを格納するメモリ１５、ＤＶＤオーディオフォーマット化処理部１によるフォーマット化の際に必要な係数を入力するインターフェース（Ｉ／Ｆ）６、画像、文字データを入力するインターフェース（Ｉ／Ｆ）７、制御係数を入力するインターフェース（Ｉ／Ｆ）１６、左の音声データ（Ｌ）を入力する入力端子８、右（Ｒ）の音声データを入力する入力端子９、ボーカルの音声データ（Ｋ）を入力する入力端子１０を有している。
【００１７】
次に本実施の形態の動作について説明する。本例のＤＶＤオーディオフォーマット化処理部１は、入力端子８、９、１０から入力される左右の音声データとボーカルをインターフェース６、１６から入力されるミクス係数や制御係数に従ってフォーマット化し、それにスクランブラー２でスクランブルを掛けたマルチチャネル音声データを送信部１４から回線を通して送信したり、或いは図示されていないが変調部３からカッティングマシンに供給してＤＶＤオーディオディスクに記録する。
【００１８】
送信部１４から送信された音声データは遠方の編集装置などに送られて編集された後、返送されてくるが、この返送データを受信部１７で受信し、システムコントローラ４を介してメモリ１５に一旦格納される。その後、ＤＶＤオーディオディスク等に記録される。尚、上記したスクランブラー２から出力されるオーディオデータはシステムコントローラ４により一旦メモリ１５に格納されてから送信部１４より送信される場合もある。
【００１９】
本実施の形態によれば、左右及びボーカルの３チャネルの音声データを記録したＤＶＤオーディオディスクを作成することができると共に、これらオーディオデータを送受信することができる。他の効果は図１に示した第１の実施の形態と同様である。
【００２０】
図３は、本発明のディスクエンコード装置の第３の実施の形態を示したブロック図である。但し、図１に示した第１の実施の形態と同様の部分には同一符号を付し、且つその説明を適宜省略する。本例のＤＶＤオーディオフォーマット化処理部１は、入力端子８、９、１０、１１、１２、１９からそれぞれ入力される前方左の音声データ（ＦＬ）、中央の音声データ（Ｃ）、前方右の音声データ（ＦＲ）、後方左の音声データ（ＲＬ）、又は左のボーカル（ＫＬ）、後方右の音声データ（ＲＲ）又は右のボーカル及びＬＦＥをインターフェース６から入力されるミクス係数に従ってフォーマット化し、スクランブラー２でスクランブルを掛けてから、変調部３で変調した後、図示されないカッティングマシンによりＤＶＤオーディオディスクに記録する。
【００２１】
また、本例は、画像／文字データの他に、インターフェース２０から入力される動画／静止画データもＤＶＤオーディオフォーマット化処理部１によりフォーマット化してＤＶＤオーディオディスクに記録することができる。
【００２２】
本実施の形態によれば、前方左、中央、前方右、後方左、後方右及びＬＦＥの６チャネルの音声データを記録したＤＶＤオーディオディスクを作成することができ、しかも、ＤＶＤオーディオディスク容量が大きいため、６チャネルの音声データを圧縮する必要がなく、且つ十分高いサンプリング周波数、ハイビットなどで、前記ディスクに記録することができ、高音質で前記６チャネルの音声データを長時間記録することができる。
【００２３】
図４は、本発明のディスク再生装置の第１の実施の形態を示したブロック図である。ディスク再生装置は、ＤＶＤオーディオディスク１００からデータを読み出すディスク再生部２１、ディスク再生部２１から読み出されたデータをデコードして復調するオーディオ再生部２２、復調されたデータをデフォーマットして５チャネルの音声データに、即ち前方左（ＦＬ）、中央（Ｃ）、前方右（ＦＲ）、後方左（ＲＬ）又は左ボーカル（ＫＬ）、後方右（ＲＲ）又は右ボーカル（ＫＲ）に分離するＤＶＤオーディオデフォーマット化処理部２３、分離された前方左、中央、前方右、後方左（又は左ボーカル）、後方右（又は右ボーカル）データをミキシング回路２４１で混合するか、又はそのまま出力するミキサー２４、画像文字データを復元する画像プロセッサ２５、マイクロフォン（図示せず）で集音した左ボーカル信号を入力する入力端子３６、マイクロフォン（図示せず）で集音した右ボーカル信号を入力する入力端子３７、左ボーカル信号をデジタル化するＡ／Ｄ変換部２６、右ボーカル信号をデジタル化するＡ／Ｄ変換部２７、前方左の音声データ、中央の音声データ、前方右の音声データ、後方左（左ボーカル）の音声データ、後方右（右ボーカル）の音声データをそれぞれ出力する出力端子２８、２９、３０、３１、３２及び２チャネルのミキシング音声データを出力する出力端子３３、３４、画像／文字データを出力する出力端子３５を有している。
【００２４】
次に本実施の形態の動作について説明する。ＤＶＤオーディオディスク１００はディスク再生部２１により再生され、読み出されたデータはオーディオ再生部２２でデコードされて復調され、更にデスクランブラー４１でデスクランブルされた後、ＤＶＤオーディオデフォーマット化処理部２３によりデフォーマットされて、５チャネルの音声データ、即ち、前方左、中央、前方右、後方左（又は左ボーカル）、後方右（又は右ボーカル）の音声データに分離される。これら５チャネルの音声データは、ミキサー２４を通して、そのまま、出力端子２８〜３２から出力される。
【００２５】
その際、ミキサー２４にＤＶＤオーディオデフォーマット化処理部２３からミクス係数が入力され、且つスイッチＳＷ１、ＳＷ２が端子ａ側であると、前方左、中央、前方右、後方左（又は左ボーカル）、後方右（又は右ボーカル）の音声データが前記ミクス係数に従って、２チャネルに混合され、出力端子３３、３４から出力される。
【００２６】
また、この時、画像／文字データが再生された場合は、これらデータがＤＶＤオーディオデフォーマット化処理部２３により分離され、画像プロセッサ２５に入力されて、ここで画像／文字信号となって、出力端子３５から外部のモニターなどに出力され、画像又は文字が表示される。
【００２７】
また、ユーザはボーカルをミクスするかしないかを選択して指示する。カラオケなどを行う時は、ミクス指示を出す。この場合、スイッチＳＷ１、ＳＷ２が端子ｂ側で、入力端子３６、３７からボーカル信号が入力されると、Ａ／Ｄ変換部２６、２７により、これら信号がデジタルデータ化される。これらボーカルデータがミキシング回路２４１に入力されて、前方左、中央、前方右の音声データと２チャネルに混合され、ミクス出力端子３３、３４から出力される。この場合、例えば、中央の音声データのレベルが０となり、前方左、前方右の音声データがカラオケの伴奏になり、歌い手のボーカルと混合されて、出力端子３３、３４から出力される。
【００２８】
ここで、ミキシング回路２４１の動作について詳しく説明する。音声データをミクスする場合は、ミクスダウン係数テーブル番号を用い、ミクスしない場合はミクスダウン係数テーブル番号ｉをひとつカウントアップして変更する。ミクスダウン係数テーブルをひとつカウントアップしたところ（ＡＴＳ−ＤＭ−ＣＯＥＦＴ＃（ｉ＋１））にはチャネルＲＬ／ＫＬ、ＲＲ／ＫＲをゼロとしてミクスする。
【００２９】
なお、チャネルＲＬ／ＫＬのみをミクスする場合はミクスダウン係数テーブル番号ｉを２つカウントアップして変更し、チャネルＲＲ／ＫＲのみをミクスする場合はミクスダウン係数テーブル番号ｉを３つカウントアップして変更するようにする。これにより、出力端子３３、３４から所定のミクス音声データが取り出される。
【００３０】
本実施の形態によれば、マルチチャネルで高品質に記録されたＤＶＤオーディオデイスク１００の各チャネルからの再生音声データをカラオケ用に処理することができ、必要に応じて、画像や文字情報も再生することができる。
【００３１】
図５は、本発明のディスク再生装置の第２の実施の形態を示したブロック図である。但し、図４に示した第１の実施の形態と同様の部分には同一符号を付し、且つその説明を適宜省略する。本例は図４に示した第１の実施の形態とその構成はほとんど同じである。異なる点は、入力端子３６、３７から入力されたボーカル信号をデジタルデータ化した後、スイッチＳＷＬ、ＳＷＲで構成されるスイッチ回路を通すことにより、前記デジタルデータをモニター出力端子５３、５４から外部に出力することができるようになっている点にある。
【００３２】
スイッチＳＷＬ、ＳＷＲを端子ａ側に切り替えると、歌い手の音声のみがモニター出力端子５３、５４から得られるので、これをヘッドホーンなどを介して、歌い手に聴かせることができる。又、スイッチＳＷＬ、ＳＷＲを端子ｂ側に切り替えると、ＤＶＤオーディオディスクから再生された後方左（又は左ボーカル）、後方右（又は右ボーカル）のみをモニター出力端子５３、５４から出力させてモニターすることができる。
【００３３】
図６は、本発明のディスク再生装置の第３の実施の形態を示したブロック図である。但し、図１に示した第１の実施の形態と同様の部分には同一符号を付し、且つその説明を適宜省略する。本例は左（Ｌ）、右（Ｒ）、中央（Ｃ）又はボーカル（Ｋ）の３チャネルの音声データが記録されたＤＶＤオーディオディスクを再生して、カラオケに使用する例である。
【００３４】
前記ＤＶＤオーディオディスクから再生されて復調された音声データはデスクランブラー４１によりスクランブルが解除された後、ＤＶＤオーディオデフォーマット化処理部２３によりデフォーマットされ、３チャネルの音声データに分離され、これら音声データがミキサー２４に入力される。
【００３５】
ミキサー２４には、ＤＶＤオーディオデフォーマット化処理部２３からミクス係数／制御係数が入力され、例えば、左（Ｌ）に中央（Ｃ）又はボーカル（Ｋ）が、同様に、右（Ｒ）に、中央（Ｃ）又はボーカル（Ｋ）が混合され、出力端子２８、２９から出力される。また、何等混合されることなく、左（Ｌ）、右（Ｒ）、中央（Ｃ）又はボーカル（Ｋ）が出力端子３０、３１、３２からそのまま出力される場合もある。
【００３６】
一方、カラオケで使用する場合、ミキサー２４は、左（Ｌ）と右（Ｒ）の音声データをそのままのレベル（α＝γ＝１）で出力端子３０、３２から出力し、中央（Ｃ）又はボーカル（Ｋ）をレベルゼロとし、結果的に出力端子３１から出力せず（β＝１）、その代わり、Ａ／Ｄ変換部２６でデジタル化された歌い手のボーカルデータを出力端子３１から出力する。
【００３７】
これにより、ＤＶＤオーディオディスクから再生された左（Ｌ）、右（Ｒ）の音声データを伴奏にしてカラオケを行うことができる。その際、画像プロセッサ２５で処理した画像や静止画をカラオケの背景として用いることができる。
【００３８】
また、ＭＩＤＩ信号がＭＩＤＩプロセッサ３８に供給されて音楽信号に変換され、出力端子３９から取り出される。これにより、例えば、ピアノ、ギター、ベースのような複数の楽器による伴奏音を得ることができる。
【００３９】
本実施の形態によれば、左（Ｌ）、右（Ｒ）、中央（Ｃ）又はボーカル（Ｋ）の３チャネルのＤＶＤオーディオディスクを再生して、高音質の伴奏でカラオケを楽しむことができる。
【００４０】
図７は、本発明のディスク再生装置の第４の実施の形態を示したブロック図である。但し、図６に示した第３の実施の形態と同様の部分には同一符号を付し、且つその説明を適宜省略する。本例は図６に示した第３の実施の形態とその構成はほとんど同じである。異なる点はスイッチ回路ＳＷ６０を切り替えることで、ＤＶＤオーディオディスクからの再生音声（歌手）又はカラオケ時の歌い手の音声を出力端子３９から出力してモニターすることができる。他の構成は図６に示した第３の実施の形態と同様の効果がある。
【００４１】
図８は、本発明のディスク再生装置の第５の実施の形態を示したブロック図である。但し、図１に示した第１の実施の形態と同様の部分には同一符号を付し、且つその説明を適宜省略する。６チャネルのＤＶＤオーディオディスクを再生し、得られた復調データのスクランブルを解除した音声データが入力端子４２からＤＶＤオーディオデフォーマット化処理部２３に入力されて、デフォーマット化され、前方左（ＦＬ）、中央（Ｃ）、前方右（ＦＲ）、後方左又は左ボーカル（ＲＬ／ＫＬ）、後方右又は右ボーカル（ＲＲ／ＫＲ）、ＬＦＥの６チャネルの音声データに分離される。これら音声データはミキサー２４に入力され、ミクス係数／制御係数により各音声データが混合されたり、或いは混合されずにそのまま出力端子２８〜３２、４３から出力される。
【００４２】
又、ＤＶＤオーディオデフォーマット化処理部２３によりデフォーマットされた静止画、動画データはビデオ変換部４４でＮＴＳＣ方式のビデオ信号に変換されて、出力端子４５から外部に出力される。
【００４３】
上記ミキサー２４でデータのミキシングをしない場合、前方左、中央、前方右、後方左（左ボーカル）、後方右（右ボーカル）、ＬＦＥの６チャネルの音声データが、出力端子２８、２９、３０、３１、３２、４３から出力される。
【００４４】
一方、ミキサー２４でデータがミキシングされる場合、前方左（ＦＬ）と中央（Ｃ）又はボーカル（Ｋ）及び、前方右（ＦＲ）、中央（Ｃ）又はボーカル（Ｋ）が混合され、出力端子２８、３０から出力されるが、この場合、ミクス係数α、β、γが１又は０の値を取ることにより、マルチチャネル出力のミクスを変更することができる。
【００４５】
例えば、（１）β＝０、α＝γ＝１とすれば、出力端子２９から中央（Ｃ）の音声データは出力されず、出力端子２８、３０から中央（Ｃ）の音声がミックスされた前方左（ＦＬ）、前方右（ＦＲ）の音声データが出力され、音声と伴奏をミクスして２チャネルで再生できる。この場合のミクス出力は出力端子３３、３４からも取り出される。
【００４６】
（２）α＝γ＝０、β＝０とすれば、前方左（ＦＬ）、前方右（ＦＲ）の音声データ（伴奏チャネル）のみを出力端子２８、３０から再生し、出力端子２９からの音声を消去できる。この場合のミクス出力は出力端子３３、３４からも取り出される。
【００４７】
この際、入力端子３６、３７から入力される歌い手のボーカル信号をＡ／Ｄ変換部４６、４７でデジタル化してから、加算器４８で加算して、１チャネルの音声データにした後、これをミキサー２４に入力すると、ミキサー２４はボーカルデータを出力端子２９から出力するため、出力端子２８、３０から再生される音声データを伴奏として、カラオケで歌えることになる。
【００４８】
（３）β＝１、α＝γ＝０とすれば、通常のマルチチャネルを再生できる。
【００４９】
また、システムコントローラ４９を用いてミキサー２４のミクス条件を補正することができる。例えば、上記（１）で、α＝０．５とすれば音声が左に移動するので、カーオーディオで右にいる運転者にはちょうどよくなる。
【００５０】
静止画または動画がＤＶＤオーディオデフォーマット化処理部２３でデコードされ、ビデオ変換部４４によりＮＴＳＣ信号に変換されてビデオ信号として取り出される。この静止画又は動画は、図３に示したディスクエンコード装置でカラオケの背景画としてＤＶＤオーディオディスクに記録されているもので、ＤＶＤオーディオディスクからオーディオデータと共に再生される。
【００５１】
本実施の形態も、第１の実施の形態と同様の効果がある。なお、オーディオデータはＰＣＭ信号の他、１ビットストリーム信号でもよい。この場合は、ミキシングの困難さから２チャネル出力は設けずに、マルチチャネル出力のみとし、ミクスしないでボーカルチャネルの選択か、ミュートで機能を実現する。
【００５２】
図９は、本発明のディスク再生装置の第６の実施の形態を示したブロック図である。但し、図８に示した第５の実施の形態と同様の部分には同一符号を付し、且つその説明を適宜省略する。本例は図８に示した第５の実施の形態とその構成はほとんど同じである。スイッチ回路ＳＷ７０を切り替えることで、ＤＶＤオーディオディスクからの再生音声（歌手）又はカラオケ時の歌い手の音声を出力端子３９から出力してモニタすることができる。他の構成は図８に示した第５の実施の形態と同様の効果がある。
【００５３】
なお、ミクス条件を変更するために、システムコントローラ４９を用いて行うように説明したが、あらかじめ複数の態様に相当するミクス係数を備えたオーディオタイトルセットを用意しておいて、それらのオーディオタイトルを選択することによりミクス条件を変更するようにしてもよい。
【図面の簡単な説明】
【００５４】
【図１】本発明のディスクエンコード装置の第１の実施の形態を示したブロック図である。
【図２】本発明のディスクエンコード装置の第２の実施の形態を示したブロック図である。
【図３】本発明のディスクエンコード装置の第３の実施の形態を示したブロック図である。
【図４】本発明のディスク再生装置の第１の実施の形態を示したブロック図である。
【図５】本発明のディスク再生装置の第２の実施の形態を示したブロック図である。
【図６】本発明のディスク再生装置の第３の実施の形態を示したブロック図である。
【図７】本発明のディスク再生装置の第４の実施の形態を示したブロック図である。
【図８】本発明のディスク再生装置の第５の実施の形態を示したブロック図である。
【図９】本発明のディスク再生装置の第６の実施の形態を示したブロック図である。
【符号の説明】
【００５５】
１  ＤＶＤオーディオフォーマット化処理部
２  スクランブラー
３  変調部
４、４９  システムコントローラ
５、５０  操作入力部
６、７、１６、２０  インターフェース
８、９、１０、１１、１２、１９、３６、３７、４０、４２  入力端子
１３、２８、２９、３０、３１、３２、３３、３４、３５、３９、４３、４５、５３、５４  出力端子
１４  送信部
１５  メモリ
１７  受信部
１８、５１  表示部
２１  ディスク再生部
２２  オーディオ再生部
２３  ＤＶＤオーディオデフォーマット化処理部
２４  ミキサー
２５  画像プロセッサ
２６、２７、４６、４７  Ａ／Ｄ変換部
３８  ＭＩＤＩプロセッサ
４１  デスクランブラー
４４  ビデオ変換部
４８  加算器
２４１  ミキシング回路
ＳＷ６０，ＳＷ７０，ＳＷＬ，ＳＷＲ  スイッチ
【図１】
2005234565.tif 000003
【図２】
2005234565.tif 000004
【図３】
2005234565.tif 000005
【図４】
2005234565.tif 000006
【図５】
2005234565.tif 000007
【図６】
2005234565.tif 000008
【図７】
2005234565.tif 000009
【図８】
2005234565.tif 000010
【図９】
2005234565.tif 000011